(57)【要約】【課題】おしぼり用包装袋に少量多品種の印刷を安価にかつ迅速に行うことを課題とする。【解決手段】来店客に提供されるおしぼりの包装袋１表面に印刷する場合、おしぼりの提供者から印刷者へ印刷すべき標章２の画像情報を、電気通信回線４を通じて送信し、印刷者は受信した画像情報に基づく標章２の画像を前記おしぼりの包装袋１に印刷し、印刷した包装袋１をおしぼりの提供者に提供することを特徴とする。【選択図】  図１
2005001145.tif 000002
【特許請求の範囲】
【請求項１】
来店客に提供されるおしぼりの包装袋表面に印刷する場合、前記おしぼりの提供者から印刷者へ印刷すべき標章の画像情報を、電気通信回線を通じて送信し、前記印刷者は受信した前記画像情報に基づく前記標章の画像を印刷装置を用いて前記おしぼりの包装袋に印刷し、該印刷した包装袋を前記おしぼりの提供者に提供することを特徴とするおしぼり用包装袋の印刷方法。
【請求項２】
来店客に提供されるおしぼりの包装袋表面に印刷する場合、前記包装袋に印刷すべき標章の画像情報を前記おしぼりの提供者と印刷者との間で電気通信回線を通じて相互に送受信することにより、標章の形態、色彩等を修正し、決定された標章を前記印刷者が印刷装置を用いて前記おしぼりの包装袋に印刷し、該印刷した包装袋を前記おしぼりの提供者に提供することを特徴とするおしぼり用包装袋の印刷方法。
【請求項３】
請求項１又は請求項２のおしぼり用包装袋の印刷方法において、標章の画像情報中色彩の情報に関しては、同一色について付した両者共通のコード番号に基づいて伝達することを特徴とするおしぼり用包装袋の印刷方法。
【請求項４】
請求項１又は請求項２のおしぼり用包装袋の印刷方法において、印刷される標章が商標であるおしぼり用包装袋の印刷方法。
【発明の詳細な説明】
【０００１】
【発明の属する技術分野】
この発明はおしぼり用包装袋の印刷方法に関し、詳しくは飲食店などで来店客におしぼりなどを包装袋に収納して提供する場合に有用なおしぼり用の包装袋の印刷方法に関する。
【０００２】
【従来の技術】
従来、飲食店などでは来店客に対する役務としておしぼりを配布することが広く行われている。
【０００３】
このおしぼりの種類としては、反復使用されるタオル地のものと（特許文献１）、使い捨てとされる不織布製のもの（特許文献２）がある。
前者は、肌触りや払拭時の取り扱い性が良い反面、洗濯消毒に信頼性がもてないと衛生面での不安が生じ、使用者によっては強い忌避感をもつ場合があるといった欠点があった。
【０００４】
一方、後者は、衛生面での不安は全くないものの、素材が薄く厚み感に乏しいものが多いので、払拭時の使用感が悪いといった問題があり、また、素材を構成する不織布繊維が皮膚に付着することが間々あるなど、使用時の爽快感に欠けるといった問題があった。
【０００５】
【特許文献１】
特開２００２−２７２６３２号公報
【０００６】
【特許文献２】
特開２００１−２９５１６９号公報
【０００７】
【発明が解決しようとする課題】
従って、このような問題点を解消するには、タオル地のおしぼりを使い捨てにすれば良いが、タオル地のおしぼりは不織布製のものに比べかなり高価であり、経済的に実現は困難である。
【０００８】
もっとも、おしぼりを有料の買い取り制とすれば、いわゆる使い捨てとすることも可能であるが、この場合買取価格に対する価格感を少しでも安く押さえようと包装袋に表面装飾を行い付加価値を付したり、あるいは希望者を募って有料の広告宣伝表示を付し、これによって買取価格を安価に押さえることが考えられるが、従来の印刷方法では印刷コストを下げるのに限界があり安価に実施する事が困難となる。
【０００９】
特に、短期間で印刷表示を変更する必要がある場合などは、製品単価あたりの印刷コストは高くなり、安価な実施がより困難となる問題があった。
また、タオル地のおしぼり以外に、割箸や楊枝なども包装袋に収納して提供される場合があるが、これら物品は製品に対する購入費に比べ包装袋への印刷コストが高く、臨機応変に印刷表示の内容を変更するといったことも容易に出来ない問題があった。
【００１０】
この発明は、上記問題を解消し、印刷に要するコストを抑え、タオル地のおしぼりであっても使い捨てにすることを可能とすると共に、その他のおしぼりであってもこれら印刷の容易性より複雑な印刷を可能にすることを課題としてなされたものである。
【００１１】
【課題を解決するための手段】
上記目的を達成するため、請求項１の発明は、来店客に提供されるおしぼりの包装袋表面に印刷する場合、前記おしぼりの提供者から印刷者へ印刷すべき標章の画像情報を、電気通信回線を通じて送信し、前記印刷者は受信した前記画像情報に基づく前記標章の画像を印刷装置を用いて前記おしぼりの包装袋に印刷し、該印刷した包装袋を前記おしぼりの提供者に提供することを特徴とするものである。
【００１２】
この方法によれば、おしぼりの包装袋表面に印刷しようとする画像が、おしぼりの提供者から印刷者へ瞬時に知らせることができ、また、印刷者も電気通信回路に接続された電子計算機回路と印刷装置により直ちに印刷することが可能となるので、迅速に印刷する事ができ、また、大量印刷の場合は、前記画像情報を印刷機に入力することにより容易に印刷する事が可能となる。
【００１３】
請求項２の発明は、来店客に提供されるおしぼりの包装袋表面に印刷する場合、前記包装袋に印刷すべき標章の画像情報を前記おしぼりの提供者と印刷者との間で電気通信回線を通じて相互に送受信することにより、標章の形態、色彩等を修正し、決定された標章を前記印刷者が印刷装置を用いて前記おしぼりの包装袋に印刷し、該印刷した包装袋を前記おしぼりの提供者に提供することを特徴とするものである。
【００１４】
この方法によれば、依頼者と印刷者とがそれぞれの場所に居ながらにして、原案から目的の完成画像へと修正していくステップを踏んでいくことができ、しかもこの場合は同じ電気通信回路を使用して情報の交換を行うので、情報交換の速度が速い上、正確な情報のやり取りが迅速に可能となる。
【００１５】
請求項３の発明は、請求項１又は請求項２のおしぼり用包装袋の印刷方法において、標章の画像情報中色彩の情報に関しては、同一色について付した両者共通のコード番号に基づいて伝達することを特徴とするものである。
【００１６】
単に入力された色彩情報のみの伝達であれば、相互の電子計算機回路の種類、性能により、相手側の出力画像の色彩が相違する場合があるが、この発明のように両者間でコード番号を定め、この番号に基づいて情報の交換を行えば、大幅な色彩の相違といった問題は解消される。
【００１７】
請求項４の発明は、請求項１又は請求項２のおしぼり用包装袋の印刷方法において、印刷される標章が商標であるものである。
タオル地のおしぼりの場合は、使い捨てとするには経済的な困難性があるが、おしぼりの包装袋に商標を付すことにより広告宣伝機能が発揮され、経済的価値が生じる。そして、このような商標が容易かつ安価に印刷できるので、このようなタオル地のおしぼりでも使い捨てが可能となる。
【００１８】
【発明の実施の形態】
次に、この発明の実施の形態であるおしぼり用包装袋の印刷方法を説明する。
図１は、この発明の方法のプロセス説明図である。
【００１９】
図１において、１はおしぼりの包装袋を示し、表面に例えば商標などの広告宣伝用の標章２が印刷されている。
ここに標章２とは、文字、図形、記号、若しくはこれらの結合又はこれらと色彩との結合を言う。
【００２０】
そして、これら包装袋１に目的の標章２を印刷する依頼者は、その標章２の概略あるいは正確に描いた見本を作成し、これを依頼者側電子計算機（以下「電子計算機」を「コンピュータ」という。）３に画像として取り込み、この画像情報を電気通信回線４を通じて印刷者側コンピュータ５へと送信する。
【００２１】
印刷者は、印刷者側コンピュータ５に受信した画像情報をディスプレーで確認後、印刷装置６へとダウンロードし、直ちに印刷にかかる。
この印刷装置６としては、例えば印刷者側コンピュータ５と直結されたインクジェット方式で印刷を行う軽便な印刷装置のほか、コンピュータ５からダウンロードされた画像情報に基づいて版下を作成し、凸版あるいは凹版などで大量に印刷できるようにした印刷装置があり、依頼者の注文規模により印刷者が適宜選択することができる。
【００２２】
そして、印刷が完了すれば、当該印刷された包装袋を依頼者へと提供するのである。
以上のように、依頼者の印刷しようとする標章２が、依頼者側コンピュータ３から電気通信回路４を用いて印刷者側コンピュータ５へと迅速に送信され、印刷者は受信した情報をディスプレーで確認後、印刷装置６へそのままダウンロードすれば直ちに印刷が実施されるので、標章２の印刷発注から提供までがフロッピーディスクやＣＤＲなどの記録媒体を介した情報交換に比べ、非常に短時間に済む。また同時に、大量印刷、少量印刷のいずれにも容易に対応でき、印刷はコンピュータを用い殆ど全自動で実施できるので、極めて安価に実施が出来る。
【００２３】
上記の実施の形態において、依頼者に具体的な標章が決まっておらず、印刷者との間で修正、打ち合せしつつ作成する場合は、図２に示すように、まず依頼者側コンピュータ３より印刷者側コンピュータ５へと発注３ａが送信され、受信した印刷者側で、これに基づいて試作した標章５ａが依頼者側コンピュータ３へと返送される。依頼者側ではディスプレーを見ながら依頼者側コンピュータ３を駆使して受信した標章５ａに修正を加え、修正後、標章３ｂを再び印刷者側コンピュータ５へと送信する。
【００２４】
これを必要回数繰り返して行い、このようにして決定された標章３ｎが、最終的に印刷者側コンピュータ５へ送信され、ディスプレーで確認後、印刷装置６へとダウンロードされて印刷される。
【００２５】
この場合、電子通信回路４を用いて相互の画像情報がやり取りされるので、標章２の作成当初から決定、完成までの間、通信時間を極めて短くすることができ、複雑な標章であっても迅速に修正、決定できる。
【００２６】
また、コンピュータによる画像送信を行う場合、送り手と受け手とが同一機種のコンピュータを使用していても、ディスプレー画面の色彩やプリントアウトされる画像の色彩に差異が見られる場合がしばしば見られ、むしろ同一色彩とする事が困難な場合がある。
【００２７】
そこで、着色された色彩の種類について同一色とする要がある場合は、両者間で、例えばＲＧＢ値などの色彩コードを予め定めておき、着色範囲毎にこの色彩コードを指定することで着色の種類をより正確に決めることができる。この場合両者の色彩の行き違いが防止できる。
【００２８】
また、標章として商標を印刷しても良い。当然、商標使用主の許諾が必要となるが、この場合は、印刷された包装袋の一般への配布により商標の宣伝広告機能が発揮され、また、第三者の商標を委託表示した場合は宣伝広告に対する報酬も期待でき、より使い捨てのコストを低減する事が可能となる。
【００２９】
なお、この発明は、包装袋の内容物としておしぼりについて説明しているが、これに限らず、箸袋や楊枝の包装袋などについても同様に実施できる。
【００３０】
【発明の効果】
以上説明したようにこの発明によれば、通常であれば標章についての印刷発注から下刷チェック、修正など一つ一つテスト印刷を見ながら進めていた作業が、電気通信回線を通じで依頼者と印刷者との間のコンピュータのディスプレー画面を見ることによって短時間に修正等が可能であり、極めて迅速に印刷すべき標章の内容が決定でき、しかも、コンピュータからの信号に基づいて、容易に印刷することができるので、全体として極めて安価かつ迅速に標章を包装袋に印刷することができる。従って、タオル地のおしぼりのような高価なものであっても安価な買い取り製としたいわゆる使い捨てとすることが可能となり、使い心地が良くしかも清潔感のあるおしぼり提供が可能となる。
【００３１】
また、両者間で色彩についてのコード番号を予め決定しておけば、微妙な色彩の違いなども正確に表現可能となるなどの効果を有する。
【図面の簡単な説明】
【図１】この発明の方法のプロセス図である。
【図２】この発明の方法の他のプロセス図である。
【符号の説明】
１      包装袋
２      標章
３      依頼者側コンピュータ
４      電気通信回線
５      印刷者側コンピュータ
６      印刷装置
【図１】
2005001145.tif 000003
【図２】
2005001145.tif 000004